(57)【要約】【課題】  非固定のコンテンツを配信することにより、個人がそれぞれの立場でコンテンツを最大限に利用できるシステムを提供することである。【解決手段】  マルチトラックの音楽データを作成し、作成した音楽データを編曲及び暗号化し、暗号化された音楽データをインターネット１００を介して公開するとともに音楽データを復号化するための編曲キーも販売し、暗号化された音楽データを、音楽データを再生するための再生装置２０にダウンロードし、編曲キーを購入し、購入した編曲キーでダウンロードした音楽データを再生する。【選択図】  図１
2005318271.tif 000002
【特許請求の範囲】
【請求項１】
マルチトラックの音楽データを作成し、
当該作成した音楽データを編曲及び暗号化し、
当該暗号化された音楽データをネットワークを介して公開するとともに当該音楽データを復号化するための編曲キーも販売し、
前記暗号化された音楽データを、当該音楽データを再生するための再生装置にダウンロードし、
前記編曲キーを購入し、
当該購入した編曲キーで前記ダウンロードした音楽データを再生することを特徴とする音楽の再生方法。
【請求項２】
前記編曲キーを作成するツールを購入し、
当該購入した編曲キーを用いて前記音楽データを編曲することを特徴とする請求項１記載の音楽の再生方法。
【請求項３】
レコード会社と音楽データを再生する再生装置とがネットワークを介して接続される音楽再生システムにおいて、
前記レコード会社は、マルチトラックの音楽データを作成する手段と、
当該作成した音楽データを編曲及び暗号化する手段と、
当該暗号化された音楽データをインターネットを介して公開するとともに当該音楽データを復号化するための編曲キーも販売する手段と、を備えており；
前記再生装置は、前記暗号化された音楽データを、当該音楽データを再生するための再生装置にダウンロードする手段と、
前記編曲キーを購入する手段と、
当該購入した編曲キーで前記ダウンロードした音楽データを再生する手段とを備えることを特徴とする音楽再生システム。
【請求項４】
前記再生装置は、前記編曲キーを作成するツールを購入する手段と、
当該購入した編曲キーを用いて前記音楽データを編曲する手段と、をさらに備えることを特徴とする請求項３記載の音楽再生システム。
【請求項５】
マルチトラックの音楽データを作成させ、
当該作成した音楽データを編曲及び暗号化させ、
当該暗号化された音楽データをインターネットを介して公開するとともに当該音楽データを復号化するための編曲キーも販売させ、
前記暗号化された音楽データを、当該音楽データを再生するための再生装置にダウンロードさせ、
前記編曲キーを購入させ、
当該購入した編曲キーで前記ダウンロードした音楽データを再生させることを特徴とする音楽再生プログラム。
【請求項６】
前記編曲キーを作成するツールを購入させ、
当該購入した編曲キーを用いて前記音楽データを編曲させることを特徴とする請求項５記載の音楽の再生プログラム。
【発明の詳細な説明】
【技術分野】
【０００１】
本発明は、音楽の再生方法、音楽の再生システム及び音楽の再生プログラムに関し、特に、一曲あたりさまざまな編曲の楽曲を視聴することが可能となる音楽の再生方法、音楽の再生システム及び音楽の再生プログラムに関する。
【背景技術】
【０００２】
現在のオンライン音楽配信では、ＣＤ媒体の中身と同様の固定されたコンテンツが流通しているだけであるが、そこには、趣向のバイタリティの拡大を阻害するという問題があった。また、現在の音楽業界では編曲者の地位が低く、編曲者に絞って音楽を聴くという文化もない。
【特許文献１】特開２００２−２２９５６１号公報
【特許文献２】特開２００２−２３７４９号公報
【発明の開示】
【発明が解決しようとする課題】
【０００３】
そこで、本発明の目的は、非固定のコンテンツを配信することにより、個人がそれぞれの立場でコンテンツを最大限に利用できるシステムを提供することである。
【０００４】
さらに、編曲者が誰であるかということがシステム上重要となり、編曲者の地位向上及び個人が編曲者として音楽業界へ参入できるインフラも提供できる。
【課題を解決するための手段】
【０００５】
本発明は、上記課題を解決するための手段として、マルチトラックの音楽データを作成し、当該作成した音楽データを編曲及び暗号化し、当該暗号化された音楽データをネットワークを介して公開するとともに当該音楽データを復号化するための編曲キーも販売し、前記暗号化された音楽データを、当該音楽データを再生するための再生装置にダウンロードし、前記編曲キーを購入し、当該購入した編曲キーで前記ダウンロードした音楽データを再生することを特徴とする。
【０００６】
また、本発明は、前記編曲キーを作成するツールを購入し、当該購入した編曲キーを用いて前記音楽データを編曲することを特徴とする。
【０００７】
また、本発明は、レコード会社と音楽データを再生する再生装置とがネットワークを介して接続される音楽再生システムにおいて、前記レコード会社は、マルチトラックの音楽データを作成する手段と、当該作成した音楽データを編曲及び暗号化する手段と、当該暗号化された音楽データをインターネットを介して公開するとともに当該音楽データを復号化するための編曲キーも販売する手段と、を備えており；前記再生装置は、前記暗号化された音楽データを、当該音楽データを再生するための再生装置にダウンロードする手段と、前記編曲キーを購入する手段と、当該購入した編曲キーで前記ダウンロードした音楽データを再生する手段とを備えることを特徴とする。
【０００８】
また、本発明は、前記再生装置は、前記編曲キーを作成するツールを購入する手段と、当該購入した編曲キーを用いて前記音楽データを編曲する手段と、をさらに備えることを特徴とする。
【０００９】
また、本発明は、マルチトラックの音楽データを作成させ、当該作成した音楽データを編曲及び暗号化させ、当該暗号化された音楽データをインターネットを介して公開するとともに当該音楽データを復号化するための編曲キーも販売させ、前記暗号化された音楽データを、当該音楽データを再生するための再生装置にダウンロードさせ、前記編曲キーを購入させ、当該購入した編曲キーで前記ダウンロードした音楽データを再生させることを特徴とする。
【００１０】
また、本発明は、前記編曲キーを作成するツールを購入させ、当該購入した編曲キーを用いて前記音楽データを編曲させることを特徴とする。
【発明の効果】
【００１１】
本発明によれば、一つの楽曲に対して、複数の編曲キーが作成されることにより、楽曲の利用率を増やすことができる。
【００１２】
また、本発明によれば、ユーザが作成した独自キーを公開する際にユーザから公開料を得ることができる。
【００１３】
さらに、本発明によれば、自分の好みの編曲者の作品に絞って楽曲を楽しむことができる。
【００１４】
さらにまた、本発明によれば、自ら独自キーを公開し、多くの人が購入すれば、多くの対価を得ることができる。
【００１５】
また、ＤＪとして楽曲を利用する場合、固定コンテンツとは違い、楽曲再生において多くの自由度があり、他のＤＪとの差別化をはかることができる。
【発明を実施するための最良の形態】
【００１６】
以下、添付図面を参照して本発明を実施するための最良の実施の形態を説明する。
【００１７】
［構成の説明］
図１は、本発明の第１の実施の形態の構成を示すブロック図である。
【００１８】
図１に示すように、本実施の形態では、レコード会社１０と、再生装置２０とがインターネット１００を介して接続されている。
【００１９】
図２は、レコード会社１０が提供するコンテンツを示すブロック図である。
【００２０】
レコード会社１０が提供する情報には、音楽データとしての非固定マルチトラックコンテンツ１１と、非固定マルチトラックコンテンツ１１の暗号を解く鍵である編曲キー１２とを含む。
【００２１】
図３は、再生装置２０の構成を示すブロック図である。
【００２２】
図３に示すように、再生装置２０は、マルチトラックミキサー２１と、チャネル別エフェクター２２と、ソフトウエアシンセサイザー２３と、を備えている。
【００２３】
非固定マルチトラックコンテンツ１１は、現在ＣＤなどに記録するために、ステレオ２チャンネルのデータにミックスダウンする前のデータである。非固定マルチトラックコンテンツ１１は、各トラックに歌声、ドラムス、ギター、ベース及びキーボード等の楽器の音声データが暗号化され記録されたものである。
【００２４】
編曲キー１２は、再生装置２０内にあるマルチトラックミキサー２１の時間的な動作、チャネル別エフェクター２２の動作及びソフトウエアシンセサイザー２３の演奏情報を含むものである。
【００２５】
図４は、本実施の形態の概要を示すブロック図である。
【００２６】
図４に示すように、ユーザはインターネット１００を介してマルチトラックデータを取得し編曲キーを購入する（３−１）。
【００２７】
また、ユーザは本実施の形態におけるシステムが提供する編曲キー作成ツールを使用して、独自に編曲キーを作成することが可能である（３−２）。この場合も、編曲キー作成ツールには作成可能な編曲キーの数が定められており、その分のマルチトラックデータの著作権使用料及び利用料は、レコード会社１０へ支払われる。さらに、レコード会社１０９の定める条件で独自編曲キーを公開することが可能であり、ユーザが自ら編曲家としての対価を得ることが可能となる（２−３）。
【００２８】
［動作の説明］
図５は、レコード会社１０がマルチトラックコンテンツの音楽データを販売する過程を示すフローチャートである。
【００２９】
図５に示すように、まず、レコード会社１１はマルチトラックの音楽データを作成する（ステップＳ１）。これは、音楽データを記録した媒体を作成する場合における、ミックスダウン前のデータに対応する。
【００３０】
次いで、作成した音楽データをそれに対応したデフォルトの編曲を行ない、マルチトラックの音楽データを暗号化し（ステップＳ２）、インターネット１００を介して公開する（ステップＳ３）。この暗号化された音楽データは、誰でも自由に無料で取得できるが、復号化には編曲キーが必要となる。
【００３１】
レコード会社１０は、楽曲の基本となるデフォルト編曲キーを販売する（ステップＳ４）。
【００３２】
編曲キーには再生装置２０で編曲する際のパラメータが記録されており、編曲キーを購入する際の料金には、マルチトラックでに対する作詞・作曲の著作権使用料、マルチトラックデータの利用料、編曲キー使用料が含まれている。
【００３３】
編曲キーはインターネット１００を介して購入することが可能であり、持ち運び可能な再生装置２０での利用も考え、編曲キーには複数回の使用権を持たせることができるものとする。
【００３４】
また、レコード会社１０はプロの編曲家に編曲を依頼し、一つの楽曲に対して複数の編曲キーを発売することが可能となる。
【００３５】
図６は、ユーザが楽曲を再生するまでの過程を示すフローチャートである。
【００３６】
図６に示すように、ユーザはインターネット１００から暗号化されたマルチトラックの音楽データをダウンロードする（ステップＳ１１）。編曲キーを選択し購入する（ステップＳ１２）。購入した編曲キーで楽曲を再生する（ステップＳ１３）。
【００３７】
音楽データの再生環境としては、通常のオーディオで再生する場合もあるが、ＤＪがダンスクラブで楽曲を再生する場合もある。本システムでは、このＤＪが使用する音楽データとしての利便性も考慮している。
【００３８】
ＤＪユーザはマルチトラックデータに対して、レコード会社１０の提供するオープン編曲キーを購入することで、再生装置２０が編曲キーにしたがって行なうミキシング作業でミキサーを使用してリアルタイムに行なうことができる。
【００３９】
このミキサーは本システムで提唱する再生装置１０が内部でソフトウエア処理しているミキサー、ＥＱ及びエフェクターをハードウェア化し、マニュアル操作可能である。これは必ずしもハードウェアで実現するものではなく、ソフトウエアエミュレータでも実現可能である。
【００４０】
［発明の他の実施の形態］
次に、本発明の他の実施の形態について説明する。
【００４１】
本システムでは、未編集のマルチトラックコンテンツを再生装置の段階で編集するという手法を用いているので、これは映画コンテンツでも使用可能なモデルである。前記のマルチトラックコンテンツの代わりに未編集の映画データを配信し、ディレクタごとに編集キーを作成することで、一つの映画に対して、多様な編集版をもたせることができる。
【図面の簡単な説明】
【００４２】
【図１】本発明の第１の実施の形態の構成を示すブロック図である。
【図２】レコード会社１０が提供するコンテンツを示すブロック図である。
【図３】再生装置２０の構成を示すブロック図である。
【図４】本発明の一実施の形態の概要を示すブロック図である。
【図５】レコード会社１０がマルチトラックコンテンツの音楽データを販売する過程を示すフローチャートである。
【図６】ユーザが楽曲を再生するまでの過程を示すフローチャートである。
【符号の説明】
【００４３】
１０  レコード会社
１１  コンテンツ
１２  編曲キー
２０  再生装置
２１  マルチトラックミキサー
２２  チャネル別エフェクター
２３  ソフトウエアシンセサイザー
【図１】
2005318271.tif 000003
【図２】
2005318271.tif 000004
【図３】
2005318271.tif 000005
【図４】
2005318271.tif 000006
【図５】
2005318271.tif 000007
【図６】
2005318271.tif 000008